(57)【特許請求の範囲】
【請求項１】
原稿を搬送する原稿搬送手段と、
前記原稿搬送手段を駆動する駆動モータと、
前記原稿搬送手段により搬送された原稿の画像を読み取る画像読取部と、
前記画像読取部による前記読み取り動作を制御する制御基板と、
前記画像読取部に対向して配置され前記原稿搬送手段により搬送された原稿をガイドする原稿搬送路面を有する第一板金と、
前記第一板金の前記原稿が搬送される方向に直交する方向における両端のそれぞれに、前記第一板金に直交するよう取り付けられた第二板金及び第三板金と、
を備える画像読取装置であって、
前記第二板金には前記駆動モータが取り付けられ、前記第一板金又は前記第三板金には前記制御基板が取り付けられており、前記制御基板と前記駆動モータとを電気的に接続するモータ束線が前記第一板金に沿って配線されていることを特徴とする画像読取装置。
【請求項２】
原稿を搬送する原稿搬送手段と、
前記原稿搬送手段を駆動する駆動モータと、
前記原稿搬送手段により搬送された原稿の画像を読み取る画像読取部と、
前記画像読取部による前記読み取り動作を制御する制御基板と、
前記制御基板と前記駆動モータとを電気的に接続するモータ束線と、
操作者による操作により前記制御基板に前記読み取り動作の命令を送るオペレーションパネル基板と、
前記画像読取部に対向して配置され前記原稿搬送手段により搬送された原稿をガイドする原稿搬送路面を有する第一板金と、
前記第一板金の前記原稿が搬送される方向に直交する方向における両端のそれぞれに、前記第一板金に直交するよう取り付けられた第二板金及び第三板金と、を備え、
前記第二板金又は前記第三板金に前記駆動モータが取り付けられている画像読取装置であって、
前記第二板金には前記オペレーションパネル基板が取り付けられ、前記第一板金又は前記第三板金には前記制御基板が取り付けられており、前記制御基板と前記オペレーション
パネル基板とを電気的に接続するオペレーションパネル束線が前記第一板金に沿って配線されていることを特徴とする画像読取装置。
【請求項３】
前記駆動モータは前記第三板金に取り付けられており、前記モータ束線が前記第一板金に沿って配線されていることを特徴とする請求項２に記載の画像読み取り装置。
【請求項４】
前記第一板金は、前記モータ束線を沿わせる溝を備えることを特徴とする請求項１又は３に記載の画像読取装置。
【請求項５】
前記第一板金は、前記オペレーションパネル束線を沿わせる溝を備えることを特徴とする請求項２又は３に記載の画像読取装置。
【請求項６】
前記第一板金を保持する板金保持部材を有し、前記板金保持部材は、前記第一板金に沿って配線される前記モータ束線を沿わせる溝を備えることを特徴とする請求項１又は３に記載の画像読取装置。
【請求項７】
前記第一板金を保持する板金保持部材を有し、前記板金保持部材は、前記第一板金に沿って配線される前記オペレーションパネル束線を沿わせる溝を備えることを特徴とする請求項２又は３に記載の画像読取装置。
【発明の詳細な説明】
【０００１】
【発明の属する技術分野】
本発明は、例えば、スキャナ、複写機、あるいは、ファクシミリ装置などの、原稿の画像を読み取る画像読取装置に関するものである。
【０００２】
【従来の技術】
従来、この種の画像読取装置として、シートフィードタイプの一般的な構成例を述べると、多くの場合、原稿搬送経路に沿って設けられた搬送ガイドだけでなく、画像読取装置の強度をなす部品はモールド部品が用いられている。
【０００３】
また、外来ノイズや放射ノイズのアンテナとなる電気信号の電線の配線もシールドが施されておらず、フェライトコアなどノイズ対策部品を使用している。
【０００４】
【発明が解決しようとする課題】
しかしながら、上記のような従来技術の場合には、画像読取装置本体の強度が弱いばかりではなく、外来ノイズにも弱く、さらには放射ノイズを放射するために、ノイズ対策部品を使用するため構成が複雑となりコストアップを招いていた。
【０００５】
本発明は上記の従来技術の課題を解決するためになされたもので、その目的とするところは、装置本体の強度を高め、外来ノイズにも強く、放射ノイズの放射を低減させた、信頼性の高い画像読取装置を提供することにある。
【０００６】
【課題を解決するための手段】
上記目的を達成するために本発明にあっては、
原稿を搬送する原稿搬送手段と、
前記原稿搬送手段を駆動する駆動モータと、
前記原稿搬送手段により搬送された原稿の画像を読み取る画像読取部と、
前記画像読取部による前記読み取り動作を制御する制御基板と、
前記画像読取部に対向して配置され前記原稿搬送手段により搬送された原稿をガイドする原稿搬送路面を有する第一板金と、
前記第一板金の前記原稿が搬送される方向に直交する方向における両端のそれぞれに、前記第一板金に直交するよう取り付けられた第二板金及び第三板金と、
を備える画像読取装置であって、
前記第二板金には前記駆動モータが取り付けられ、前記第一板金又は前記第三板金には前記制御基板が取り付けられており、前記制御基板と前記駆動モータとを電気的に接続するモータ束線が前記第一板金に沿って配線されていることを特徴とする。
また、原稿を搬送する原稿搬送手段と、
前記原稿搬送手段を駆動する駆動モータと、
前記原稿搬送手段により搬送された原稿の画像を読み取る画像読取部と、
前記画像読取部による前記読み取り動作を制御する制御基板と、
前記制御基板と前記駆動モータとを電気的に接続するモータ束線と、
操作者による操作により前記制御基板に前記読み取り動作の命令を送るオペレーションパネル基板と、
前記画像読取部に対向して配置され前記原稿搬送手段により搬送された原稿をガイドする原稿搬送路面を有する第一板金と、
前記第一板金の前記原稿が搬送される方向に直交する方向における両端のそれぞれに、前記第一板金に直交するよう取り付けられた第二板金及び第三板金と、を備え、
前記第二板金又は前記第三板金に前記駆動モータが取り付けられている画像読取装置であって、
前記第二板金には前記オペレーションパネル基板が取り付けられ、前記第一板金又は前記第三板金には前記制御基板が取り付けられており、前記制御基板と前記オペレーションパネル基板とを電気的に接続するオペレーションパネル束線が前記第一板金に沿って配線されていることを特徴とする。
【００１２】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１３】
（実施の形態１）
図１，９を参照して、実施の形態１に係る画像読取装置５０について説明する。
【００１４】
図９は、一般にシートフィードタイプと呼ばれ、原稿が移動して読取る構成の画像読取装置５０の概略断面図である。
【００１５】
原稿Ｇは、積載される原稿トレー５６から、複数枚の原稿を順次送り出す原稿分離部５５で、原稿分離ローラ５４により１枚ずつ分離搬送される。
【００１６】
１枚ずつ分離搬送された原稿Ｇは、原稿搬送経路２０に沿って設けられた搬送ガイドにガイドされて、原稿搬送手段としての給送ローラ５２と従動コロ５３により画像読取手段としての読取部５１へ搬送される。
【００１７】
読取部５１は例えば光電変換素子を用いたコンタクトセンサを有しており、読取部５１の対向面には原稿Ｇを押さえ、また原稿の背景色（バックグランドカラー）となる原稿押さえ７を備えている。
【００１８】
原稿押さえ７は前記搬送ガイドを構成する第１板金４に保持されている原稿押さえ用ばね１３により読取部５１に向かう方向に付勢されている。
【００１９】
読取部５１と原稿押さえ７との間を通過した原稿Ｇは、排紙ローラ５８と従動コロ５９により、矢印Ａ方向に搬送されて機外に排紙されるか、または、ガイド６０にガイドされて略Ｕ字状の搬送路を搬送され排紙ローラ対６１により矢印Ｂ方向に搬送され排紙トレイ５７に排紙される。
【００２０】
また、読取部５１を含んだ開放部は回動可能に設けられており、図に示す２点鎖線の位置に回動して搬送経路２０を開放することにより、ジャム処理が可能である。
【００２１】
図１は、本実施の形態に係る画像読取装置の要部構成を模式的に示す図であり、本発明の特徴的な構成として、読取部５１に対向した位置に搬送ガイドを構成する第一板金４を備え、装置本体の両側面を構成する第二板金３と第三板金５とが第一板金に取り付けられて板金部を構成している。同図（ａ）は概略上面図、同図（ｂ）は概略底面図、同図（ｃ）は概略前面図である。
【００２２】
図１（ａ），（ｂ），（ｃ）において、第一板金４は原稿搬送経路２０に沿って原稿をガイドする原稿搬送路面４ａをもち、また原稿押さえ７が取り付けられている。さらに、第一板金４と略直交するように、両側面に第二板金３と第三板金５が取り付けられている。
【００２３】
第二板金３には板金で出来たギアボックス２を介して駆動手段としてのモータ１が取り付けられ、第三板金５には画像読取手段による読取動作を制御する制御基板６が取り付けられている。モータ１は少なくとも給送ローラ５２を駆動させるものであり、また、制御基板６に備えられた制御手段により、画像読み取りの一連の動作が制御される。
【００２４】
そして、本実施の形態では、モータ１と制御基板６をつなぐ電線としてのモータ束線９は、第一板金４に沿うように配線され、制御基板６上のモータ用コネクタ８に接続されている。
【００２５】
ここで、第二板金３と第三板金５は、画像読取装置の両側面を構成するもので、側面全面にわたっていてもよいし、モータ１や制御基板６が取り付けられる範囲において設けられていてもよい。
【００２６】
また、第一板金４と第二板金３と第三板金５とで構成される板金部に、モータ１と制御基板６とのうち少なくともいずれかを備えていればよく、モータ束線９は、前記板金部に沿うように配線されていればよい。
【００２７】
（実施の形態２）
図２は、実施の形態２に係る画像読取装置の要部構成を模式的に示す図であり、同図（ａ）は概略上面図、同図（ｂ）は概略底面図、同図（ｃ）は概略前面図である。なお、実施の形態１と同様の構成部分については同一の符号を付して、その説明は省略する。
【００２８】
図２（ａ），（ｂ），（ｃ）において、第一板金４は原稿搬送経路２０に沿って原稿をガイドする原稿搬送路面４ａをもち、また原稿押さえ７が取り付けられている。さらに、第一板金４と略直交するように、両側面に第二板金３と第三板金５が取り付けられている。
【００２９】
本実施の形態においては、第二板金３には板金で出来たギアボックス２を介してモータ１と制御基板６が取り付けられ、第三板金５にはオペレーションパネル基板１０が取り付けられている。
【００３０】
オペレーションパネル基板１０が操作者による操作により制御基板６に備えられた制御手段に命令を送ることにより、画像読取の一連の動作が行われる。
【００３１】
オペレーションパネル基板１０と制御基板６をつなぐ電線としてのオペレーションパネル束線１１は、第一板金４に沿うように配線され、制御基板６上のオペレーションパネル用コネクタ１２に接続される構成になっている。
【００３２】
なお、オペレーションパネル束線１１は、前記板金部に沿うように配線されていればよい。
【００３３】
（実施の形態３）
図３は、実施の形態３に係る画像読取装置の要部構成を模式的に示す図であり、同図（ａ）は概略上面図、同図（ｂ）は概略底面図、同図（ｃ）は概略前面図である。なお、上述した実施の形態と同様の構成部分については同一の符号を付して、その説明は省略する。
【００３４】
本実施の形態では、図３（ａ），（ｂ），（ｃ）に示すように、第一板金４は原稿搬送経路２０に沿って原稿をガイドする原稿搬送路面４ａをもち、制御基板６が取り付けられ、また原稿押さえ７が取り付けられている。さらに、第一板金４と直交するように、両側面に第二板金３と第三板金５が取り付けられている。
【００３５】
また、第二板金３には板金で出来たギアボックス２を介してモータ１が取り付けられている。モータ１と制御基板６をつなぐモータ束線９は、第一板金４に沿うように配線され、制御基板６上のモータ用コネクタ８に接続される構成になっている。
【００３６】
（実施の形態４）
図４は、実施の形態４に係る画像読取装置の要部構成を模式的に示す図であり、同図（ａ）は概略上面図、同図（ｂ）は概略底面図、同図（ｃ）は概略前面図である。なお、上述した実施の形態と同様の構成部分については同一の符号を付して、その説明は省略する。
【００３７】
本実施の形態では、図４（ａ），（ｂ），（ｃ）に示すように、第一板金４は原稿搬送経路２０に沿って原稿をガイドする原稿搬送路面４ａをもち、制御基板６が取り付けられ、また原稿押さえ７が取り付けられている。さらに、第一板金４と直交するように、両側面に第二板金３と第三板金５が取り付けられている。
【００３８】
また、第二板金３には板金で出来たギアボックス２を介してモータ１とオペレーションパネル基板１０が取り付けられている。モータ１と制御基板６をつなぐモータ束線９とオペレーションパネル基板１０と制御基板６をつなぐオペレーションパネル束線１１は、第一板金４に沿うように配線され、それぞれが制御基板６上のモータ用コネクタ８とオペレーションパネル用コネクタ１２に接続される構成になっている。
【００３９】
（実施の形態５）
図５は、実施の形態５に係る画像読取装置の要部構成を模式的に示す図であり、同図（ａ）は概略上面図、同図（ｂ）は概略底面図、同図（ｃ）は概略前面図である。なお、上述した実施の形態と同様の構成部分については同一の符号を付して、その説明は省略する。
【００４０】
本実施の形態では、図５（ａ），（ｂ），（ｃ）に示すように、第一板金４は原稿搬送経路２０に沿って原稿をガイドする原稿搬送路面４ａをもち、また原稿押さえ７が取り付けられている。さらに、第一板金４と直交するように、両側面に第二板金３と第三板金５が取り付けられている。
【００４１】
第二板金３には板金で出来たギアボックス２を介してモータ１とオペレーションパネル基板１０が取り付けられ、第三板金５には制御基板６が取り付けられている。モータ１と制御基板６をつなぐモータ束線９とオペレーションパネル基板１０と制御基板６をつなぐオペレーションパネル束線１１は、第一板金４に沿うように配線され、それぞれが制御基板６上のモータ用コネクタ８とオペレーションパネル用コネクタ１２に接続される構成になっている。
【００４２】
（実施の形態６）
図６は、実施の形態６に係る画像読取装置の要部構成を模式的に示す図であり、同図（ａ）は概略上面図、同図（ｂ）は概略底面図、同図（ｃ）は概略前面図である。なお、上述した実施の形態と同様の構成部分については同一の符号を付して、その説明は省略する。
【００４３】
本実施の形態では、図６（ａ），（ｂ），（ｃ）に示すように、第一板金４は原稿搬送経路２０に沿って原稿をガイドする原稿搬送路面４ａをもち、制御基板６が取り付けられ、また原稿押さえ７が取り付けられている。さらに、第一板金４と直交するように、両側面に第二板金３と第三板金５が取り付けられている。
【００４４】
第二板金３には板金で出来たギアボックス２を介してモータ１が取り付けられている。第三板金５にはオペレーションパネル基板１０が取り付けられている。モータ１と制御基板６をつなぐモータ束線９とオペレーションパネル基板１０と制御基板６をつなぐオペレーションパネル束線１１は、第一板金４に沿うように配線され、それぞれが制御基板６上のモータ用コネクタ８とオペレーションパネル用コネクタ１２に接続される構成になっている。
【００４５】
（実施の形態７）
図７と図８は、主に束線配線方法の第１及び第２の構成を説明するもので、第一板金を備えた搬送ガイドを示す概略断面図である。この束線配線方法は、上述した実施の形態１〜６において説明した板金部の構成を適用することが可能である。なお、上述した実施の形態と同様の構成部分については同一の符号を付して、その説明は省略する。
【００４６】
図７は、第一板金４が搬送ガイドとしての第一板金保持モールド１５に保持されている構成を示している。
【００４７】
図７に示すように、モータ束線９もしくはオペレーションパネル束線１１は、第一板金４の裏側を沿うように配線するために第一板金保持モールド１５に掘られた第二誘導部としての溝に沿って配線されている。
【００４８】
そして、原稿押さえ７は、原稿押さえ用ばね１３を挟んだ状態で第一板金４に原稿押さえ取り付け部兼原稿押さえ動作支点１４の部分で取り付けられ、原稿押さえ取り付け部兼原稿押さえ動作支点１４を支点としてばね性を持って動作する。
【００４９】
図８は第一板金４が第一板金保持モールド１５に保持されている構成を示している。
【００５０】
図８に示すように、モータ束線９もしくはオペレーションパネル束線１１は、第一板金４に形成された第一誘導部としての溝状の通路を沿うように配線されている。
【００５１】
そして、原稿押さえ７が原稿押さえ用ばね１３を挟んだ状態で第一板金４に原稿押さえ取り付け部兼原稿押さえ動作支点１４の部分で取り付けられ、原稿押さえ取り付け部兼原稿押さえ動作支点１４を支点としてばね性を持って動作する。
【００５２】
なお、第一誘導部としての溝状の通路は、図８では読取部５１側に開いているが、これに限らず、読取部５１とは反対側に開くようにしてもよく、また、側方に開くように設けられていてもよい。また、溝状の通路内の束線を押さえる蓋部材を設けてもよい。
【００５３】
実施の形態１から実施の形態６までの実施の形態においては、代表的な例として図７に示した構成をとっており、特に図８に示した構成の図示は行っていないものの実施の形態１から実施の形態６に対しても応用例として図８に示した構成は存在しているものとする。
【００５４】
上述した実施の形態ように、画像読取装置の骨組みが板金を組み上げてゆく構造であれば、画像読取装置の機械的強度は強いものとなる。すなわち、読取部近傍の剛性を向上させることが可能となり、また、駆動モータにより発生する振動を低減させることができるので、読取精度を向上させることが可能となる。
【００５５】
また、画像読取装置内に長く這いまわす電線に対しても前記板金部に沿わせることにより外来ノイズの侵入を防ぎ、放射ノイズを低減することが簡易な構成ででき、従来のようにノイズ対策部品にコストをかけることはなくなり、また、ノイズに伴う装置の誤動作を防ぐことができる。
【００５６】
また、画像読取装置がフォトセンサなどのセンサ類を備える場合においても本発明を適用することができ、センサの基板が制御基板６上に設けられていると好適であり、センサの配線を前記板金部に沿わせることも好適である。
【００５７】
なお、上述した実施の形態では、図９に示すような画像読取装置について説明したが、これに限らず、原稿が移動して読取る構成の画像読取機能を備えたものであれば本発明を適用することができ、画像を形成する画像形成機能を備えた画像形成装置等の複合装置にも適用することができる。
【００５８】
【発明の効果】
以上説明したように、本発明によれば、第一板金と第二板金と第三板金とで構成される板金部に、原稿搬送手段を駆動する駆動手段と、画像読取手段による読取動作を制御する制御手段を有する制御基板とのうち少なくともいずれかを備えることにより、装置本体の機械的強度を高めることが可能となる。
【００５９】
さらに、電気信号の電線を板金部に沿わせて配線することにより、外来ノイズの侵入を防ぎ、放射ノイズを低減させることが簡易な構成で可能となる。
【図面の簡単な説明】
【図１】本発明の実施の形態１に係る画像読取装置の要部構成を示した図であり、（ａ）は概略上面図、（ｂ）は概略底面図、（ｃ）は概略前面図である。
【図２】本発明の実施の形態２に係る画像読取装置の要部構成を示した図であり、（ａ）は概略上面図、（ｂ）は概略底面図、（ｃ）は概略前面図である。
【図３】本発明の実施の形態３に係る画像読取装置の要部構成を示した図であり、（ａ）は概略上面図、（ｂ）は概略底面図、（ｃ）は概略前面図である。
【図４】本発明の実施の形態４に係る画像読取装置の要部構成を示した図であり、（ａ）は概略上面図、（ｂ）は概略底面図、（ｃ）は概略前面図である。
【図５】本発明の実施の形態５に係る画像読取装置の要部構成を示した図であり、（ａ）は概略上面図、（ｂ）は概略底面図、（ｃ）は概略前面図である。
【図６】本発明の実施の形態６に係る画像読取装置の要部構成を示した図であり、（ａ）は概略上面図、（ｂ）は概略底面図、（ｃ）は概略前面図である。
【図７】本発明の実施の形態１〜実施の形態６に係る、主に束線配線方法の第１の構成を示した概略断面図である。
【図８】本発明の実施の形態１〜実施の形態６に係る、主に束線配線方法の第２の構成を示した概略断面図である。
【図９】本発明を適用した画像読取装置の概略断面図である。
【符号の説明】
１  モータ
２  ギアボックス
３  第二板金
４  第一板金
４ａ  原稿搬送路面
５  第三板金
６  コントロール基板
７  原稿押さえ
８  モータ用コネクタ
９  モータ束線
１０  オペレーションパネル基板
１１  オペレーションパネル束線
１２  オペレーションパネル用コネクタ
１３  原稿押さえばね
１４  原稿押さえ取り付け部兼原稿押さえ動作支点
１５  第一板金保持モールド
【図１】
0004484383.tif 000002
【図２】
0004484383.tif 000003
【図３】
0004484383.tif 000004
【図４】
0004484383.tif 000005
【図５】
0004484383.tif 000006
【図６】
0004484383.tif 000007
【図７】
0004484383.tif 000008
【図８】
0004484383.tif 000009
【図９】
0004484383.tif 000010